(57)【要約】【課題】  ユーザエージェントのプレゼンス導出ルールの開発、変更および保守等の際に発生するコストを削減することができるプレゼンスシステム、導出装置、ユーザエージェント、サーバ、取得方法およびプログラムを提供する。【解決手段】  待ち時間をネットワーク５００を介して接続されているユーザ端末１００もしくは掲示板１５０に配信する。【選択図】  図１
2006330916.tif 000002
【特許請求の範囲】
【請求項１】
ネットワークを介して接続されている導出装置と、ユーザエージェントと、を含むプレゼンスシステムであって、
複数の前記ユーザエージェントが前記導出装置が備える共通のプレゼンス導出ルールを使用することを特徴とするプレゼンスシステム。
【請求項２】
ネットワークを介して接続されている導出装置と、サーバと、を含むプレゼンスシステムであって、
複数の前記サーバが前記導出装置が備える共通のプレゼンス導出ルールを使用することを特徴とするプレゼンスシステム。
【請求項３】
前記導出装置が複数のプレゼンス導出ルールを保持することを特徴とする請求項１または２記載のプレゼンスシステム。
【請求項４】
前記導出装置がプレゼンスに応じて、複数のプレゼンス導出ルールからプレゼンス導出ルールを選択することを特徴とする請求項１から３のいずれか１項に記載のプレゼンスシステム。
【請求項５】
前記導出装置がプレゼンスの履歴に応じて、複数のプレゼンス導出ルールからプレゼンス導出ルールを選択することを特徴とする請求項１から４のいずれか１項に記載のプレゼンスシステム。
【請求項６】
前記導出装置がプレゼンスをパターンに分け、パターンごとにプレゼンス導出ルールを設けることを特徴とする請求項１から５のいずれか１項に記載のプレゼンスシステム。
【請求項７】
前記導出装置がプレゼンスの履歴をパターンに分け、パターンごとにプレゼンス導出ルールを設けることを特徴とする請求項１から６のいずれか１項に記載のプレゼンスシステム。
【請求項８】
前記導出装置がプレゼンスパターンに応じて、複数のプレゼンス導出ルールからプレゼンス導出ルールを選択することを特徴とする請求項１から７のいずれか１項に記載のプレゼンスシステム。
【請求項９】
前記導出装置がプレゼンス履歴パターンに応じて、複数のプレゼンス導出ルールからプレゼンス導出ルールを選択することを特徴とする請求項１から８のいずれか１項に記載のプレゼンスシステム。
【請求項１０】
前記導出装置がプレゼンス導出に複数のプレゼンス導出ルールを使用することを特徴とする請求項１から９のいずれか１項に記載のプレゼンスシステム。
【請求項１１】
前記導出装置が一つのプレゼンスに対してプレゼンス導出ルールを複数選択することを特徴とする請求項１から１０のいずれか１項に記載のプレゼンスシステム。
【請求項１２】
前記導出装置が一つのプレゼンスパターンに対してプレゼンス導出ルールを複数選択することを特徴とする請求項１から１１のいずれか１項に記載のプレゼンスシステム。
【請求項１３】
前記導出装置が一つのプレゼンス履歴に対してプレゼンス導出ルールを複数選択することを特徴とする請求項１から１２のいずれか１項に記載のプレゼンスシステム。
【請求項１４】
前記導出装置が一つのプレゼンスパターンに対してプレゼンス導出ルールを複数選択することを特徴とする請求項１から１３のいずれか１項に記載のプレゼンスシステム。
【請求項１５】
前記導出装置が複数のプレゼンス導出ルール間で矛盾が起きた場合、プレゼンス導出ルールの優先度によって矛盾を解消することを特徴とする請求項１から１４のいずれか１項に記載のプレゼンスシステム。
【請求項１６】
プレゼンス導出ルールの使用に対して課金を行なうことを特徴とする請求項１から１５のいずれか１項に記載のプレゼンスシステム。
【請求項１７】
ネットワークを介して接続されている複数のユーザエージェントにより共通のプレゼンス導出ルールが使用されることを特徴とする導出装置。
【請求項１８】
ネットワークを介して接続されている複数のサーバにより共通のプレゼンス導出ルールが使用されることを特徴とする導出装置。
【請求項１９】
複数のプレゼンス導出ルールを保持することを特徴とする請求項１７または１８記載の導出装置。
【請求項２０】
プレゼンスに応じて、複数のプレゼンス導出ルールからプレゼンス導出ルールを選択することを特徴とする請求項１７から１９のいずれか１項に記載の導出装置。
【請求項２１】
プレゼンスの履歴に応じて、複数のプレゼンス導出ルールからプレゼンス導出ルールを選択することを特徴とする請求項１７から２０いずれか１項に記載の導出装置。
【請求項２２】
プレゼンスをパターンに分け、パターンごとにプレゼンス導出ルールを設けることを特徴とする請求項１７から２１のいずれか１項に記載の導出装置。
【請求項２３】
プレゼンスの履歴をパターンに分け、パターンごとにプレゼンス導出ルールを設けることを特徴とする請求項１７から２２のいずれか１項に記載の導出装置。
【請求項２４】
プレゼンスパターンに応じて、複数のプレゼンス導出ルールからプレゼンス導出ルールを選択することを特徴とする請求項１７から２３のいずれか１項に記載の導出装置。
【請求項２５】
プレゼンス履歴パターンに応じて、複数のプレゼンス導出ルールからプレゼンス導出ルールを選択することを特徴とする請求項１７から２４のいずれか１項に記載の導出装置。
【請求項２６】
プレゼンス導出に複数のプレゼンス導出ルールを使用することを特徴とする請求項１７から２５のいずれか１項に記載の導出装置。
【請求項２７】
一つのプレゼンスに対してプレゼンス導出ルールを複数選択することを特徴とする請求項１７から２６のいずれか１項に記載の導出装置。
【請求項２８】
一つのプレゼンスパターンに対してプレゼンス導出ルールを複数選択することを特徴とする請求項１７から２７のいずれか１項に記載の導出装置。
【請求項２９】
一つのプレゼンス履歴に対してプレゼンス導出ルールを複数選択することを特徴とする請求項１７から２８のいずれか１項に記載の導出装置。
【請求項３０】
一つのプレゼンスパターンに対してプレゼンス導出ルールを複数選択することを特徴とする請求項１から２９のいずれか１項に記載の導出装置。
【請求項３１】
複数のプレゼンス導出ルール間で矛盾が起きた場合、プレゼンス導出ルールの優先度によって矛盾を解消することを特徴とする請求項１７から３０のいずれか１項に記載の導出装置。
【請求項３２】
プレゼンス導出ルールの使用に対して課金を行なうことを特徴とする請求項１７から３１のいずれか１項に記載の導出装置。
【請求項３３】
請求項１７から３３のいずれか１項に記載の導出装置が備える共通のプレゼンス導出ルールを使用することを特徴とするユーザエージェント。
【請求項３４】
請求項１７から３３のいずれか１項に記載の導出装置が備える共通のプレゼンス導出ルールを使用することを特徴とするサーバ。
【請求項３５】
ネットワークを介して接続されている導出装置と、ユーザエージェントと、を利用した取得方法であって、
複数の前記ユーザエージェントが前記導出装置が備える共通のプレゼンス導出ルールを使用してプレゼンスを取得することを特徴とする取得方法。
【請求項３６】
ネットワークを介して接続されている導出装置と、サーバと、を利用した取得方法であって、
複数の前記サーバが前記導出装置が備える共通のプレゼンス導出ルールを使用してプレゼンスを取得することを特徴とする取得方法。
【請求項３７】
前記導出装置が複数のプレゼンス導出ルールを保持することを特徴とする請求項３５または３６記載の取得方法。
【請求項３８】
前記導出装置がプレゼンスに応じて、複数のプレゼンス導出ルールからプレゼンス導出ルールを選択することを特徴とする請求項３５から３７のいずれか１項に記載の取得方法。
【請求項３９】
前記導出装置がプレゼンスの履歴に応じて、複数のプレゼンス導出ルールからプレゼンス導出ルールを選択することを特徴とする請求項３５から３８のいずれか１項に記載の取得方法。
【請求項４０】
前記導出装置がプレゼンスをパターンに分け、パターンごとにプレゼンス導出ルールを設けることを特徴とする請求項３５から３９のいずれか１項に記載の取得方法。
【請求項４１】
前記導出装置がプレゼンスの履歴をパターンに分け、パターンごとにプレゼンス導出ルールを設けることを特徴とする請求項３５から４０のいずれか１項に記載の取得方法。
【請求項４２】
前記導出装置がプレゼンスパターンに応じて、複数のプレゼンス導出ルールからプレゼンス導出ルールを選択することを特徴とする請求項３５から４１のいずれか１項に記載の取得方法。
【請求項４３】
前記導出装置がプレゼンス履歴パターンに応じて、複数のプレゼンス導出ルールからプレゼンス導出ルールを選択することを特徴とする請求項３５から４２のいずれか１項に記載の取得方法。
【請求項４４】
前記導出装置がプレゼンス導出に複数のプレゼンス導出ルールを使用することを特徴とする請求項３５から４３のいずれか１項に記載の取得方法。
【請求項４５】
前記導出装置が一つのプレゼンスに対してプレゼンス導出ルールを複数選択することを特徴とする請求項３５から４４のいずれか１項に記載の取得方法。
【請求項４６】
前記導出装置が一つのプレゼンスパターンに対してプレゼンス導出ルールを複数選択することを特徴とする請求項３５から４５のいずれか１項に記載の取得方法。
【請求項４７】
前記導出装置が一つのプレゼンス履歴に対してプレゼンス導出ルールを複数選択することを特徴とする請求項３５から４６のいずれか１項に記載の取得方法。
【請求項４８】
前記導出装置が一つのプレゼンスパターンに対してプレゼンス導出ルールを複数選択することを特徴とする請求項３５から４７のいずれか１項に記載の取得方法。
【請求項４９】
前記導出装置が複数のプレゼンス導出ルール間で矛盾が起きた場合、プレゼンス導出ルールの優先度によって矛盾を解消することを特徴とする請求項３５から４８のいずれか１項に記載の取得方法。
【請求項５０】
プレゼンス導出ルールの使用に対して課金を行なうことを特徴とする請求項３５から４９のいずれか１項に記載の取得方法。
【請求項５１】
導出装置、ユーザエージェントおよびサーバのいずれかに請求項３５から５０に記載の処理を実行させることを特徴とするプログラム。
【発明の詳細な説明】
【技術分野】
【０００１】
本発明は、ユーザエージェントとプレゼンス導出ルールを分離したプレゼンスシステム、導出装置、ユーザエージェント、サーバ、取得方法およびプログラムに関する。
【背景技術】
【０００２】
従来のプレゼンスサービスの構成について説明する。これはＩＥＴＦ(Internet Engineering Task Force)が公開しているＲＦＣ２７７８：「Ａ  Ｍｏｄｅｌ  ｆｏｒＰｒｅｓｅｎｃｅ  ａｎｄ  Ｉｎｓｔａｎｔ  Ｍｅｓｓａｇｉｎｇ」で定義されている、プレゼンスサービスモデルに従っている。なお、以下の説明においてプレゼンスサービスの「プレゼンス情報」とは、センシングや他のプレゼンス情報によって取得した人やモノの状況を示す情報である。用語の意味に疑義が生じた場合には、基本的にＲＦＣ２７７８：「Ａ  Ｍｏｄｅｌ  ｆｏｒ  Ｐｒｅｓｅｎｃｅ  ａｎｄ  Ｉｎｓｔａｎｔ  Ｍｅｓｓａｇｉｎｇ」で定義されている意味に従うが、それに限定されるものではない。
【０００３】
プレゼンスサービスは、ウォッチャから要求されたプレゼンティティＰのプレンゼンス情報を提供するサービスである。ここで、ウォッチャとは、プレゼンスサービスに対して、所望のプレゼンティティのプレゼンス情報を要求し、また、プレゼンスサービスからプレゼンス情報を取得する主体であり、また、プレゼンティティとは、プレゼンスサービスに対して、自身のプレゼンス情報を提供する主体である。用語の意味に疑義が生じた場合には、基本的にＲＦＣ２７７８：「Ａ  Ｍｏｄｅｌ  ｆｏｒ  Ｐｒｅｓｅｎｃｅ  ａｎｄ  Ｉｎｓｔａｎｔ  Ｍｅｓｓａｇｉｎｇ」で定義されている意味に従うが、それに限定されるものではない。
【０００４】
プレゼンスサービスの実装形態の一例としてプレゼンスサーバがある。また、プレゼンティティとウォッチャの機能を併せて有しているプレゼンスサービスクライアントがある。ここで、プレゼンスサービスクライアントとは、プレゼンティティが有している機能を利用して、クライアント自身の状態をプレゼンスサーバに提供し、また、ウォッチャが有している機能を利用して、プレゼンスサーバから所望のプレゼンティティのプレゼンス情報を取得する主体である。
【０００５】
プレゼンスサービスにプレゼンス情報を提供するプレゼンティティは複数存在し、またプレゼンス情報の提供を受けるウォッチャも複数存在してもよい。さらに、プレゼンスサービスクライアント等のプレゼンティティとウォッチャが一つのサービスクライアントとしてプレゼンスサービスに接続されてもよい。
【０００６】
プレゼンスサービスの利用形態としては、例えば、同報送信システムとしては、移動通信におけるＰｏＣ（Ｐｕｓｈ  ｔｏ  ｔａｌｋ  ｏｖｅｒ  Ｃｅｌｌｕｌａｒ）を用いるシステムがある。ここで、ＰｏＣとは主として移動通信網を利用したウォーキー・トーキーのようなもので、通話は一方通行となる。
【０００７】
また、ＰｏＣは、ＩＭ（Ｉｎｓｔａｎｔ  Ｍｅｓｓａｇｉｎｇ）のように、話す相手をグループ化することができ、相手の状態を見ることができる。したがって、ＰｏＣでは通話状態にある相手（一人またはグループ）を選択して、通話ボタンを押すことで通話可能となる。
【０００８】
ここで、プレゼンス情報受信部は、プレゼンティティからのプレゼンス情報を受信すると、端末識別子・端末機種対応データベースから要求元端末の端末機種を取り出してプレゼンス情報の変換をプレゼンス形式変換部に指示し、プレゼンス形式変換部は、プレゼンス形式テーブルを検索してプレゼンス形式を取り出してプレゼンス情報を変換し、次に、プレゼンス情報受信部は、プレゼンス情報を要求元端末に送信するようにプレゼンス情報送信部に指示し、プレゼンス情報送信部は、端末要求保存部を検索して対応する要求元端末識別子を取り出してプレゼンス情報を要求元端末識別子の端末に送信することで、要求先端末から配信されたプレゼンス情報のプレゼンス形式を、要求元端末のプレゼンス形式のプレゼンス情報に変換することができる技術が提案されている（例えば、特許文献１参照）。
【特許文献１】特開２００４−２４０８２１号公報
【発明の開示】
【発明が解決しようとする課題】
【０００９】
しかしながら、上述した従来例においては次のような問題点があった。
【００１０】
プレゼンス情報の収集は、各プロバイダ毎に独自のルールに従い行なわれているため、例えば、Ａ社では所定の期間、キーボードからの入力が無い場合には、その者は退席していると判定したり、Ｂ社では異なる判断基準で退席のプレゼンス情報を取得しているという状況が発生していたため、各社で共通のルールを用いて重複する労力・コスト等を削減することが困難であった。
【００１１】
そこで、本発明は、ユーザエージェントのプレゼンス導出ルールの開発、変更および保守等の際に発生するコストを削減することができるプレゼンスシステム、導出装置、ユーザエージェント、サーバ、取得方法およびプログラムを提供することを目的とする。
【課題を解決するための手段】
【００１２】
請求項１記載の発明は、ネットワークを介して接続されている導出装置と、ユーザエージェントと、を含むプレゼンスシステムであって、複数のユーザエージェントが導出装置が備える共通のプレゼンス導出ルールを使用することを特徴とするプレゼンスシステムである。
【００１３】
請求項２記載の発明は、ネットワークを介して接続されている導出装置と、サーバと、を含むプレゼンスシステムであって、複数のサーバが導出装置が備える共通のプレゼンス導出ルールを使用することを特徴とするプレゼンスシステムである。
【００１４】
請求項３記載の発明は、請求項１または２記載のプレゼンスシステムにおいて、導出装置が複数のプレゼンス導出ルールを保持することを特徴とする。
【００１５】
請求項４記載の発明は、請求項１から３のいずれか１項に記載のプレゼンスシステムにおいて、導出装置がプレゼンスに応じて、複数のプレゼンス導出ルールからプレゼンス導出ルールを選択することを特徴とする。
【００１６】
請求項５記載の発明は、請求項１から４のいずれか１項に記載のプレゼンスシステムにおいて、導出装置がプレゼンスの履歴に応じて、複数のプレゼンス導出ルールからプレゼンス導出ルールを選択することを特徴とする。
【００１７】
請求項６記載の発明は、請求項１から５のいずれか１項に記載のプレゼンスシステムにおいて、導出装置がプレゼンスをパターンに分け、パターンごとにプレゼンス導出ルールを設けることを特徴とする。
【００１８】
請求項７記載の発明は、請求項１から６のいずれか１項に記載のプレゼンスシステムにおいて、導出装置がプレゼンスの履歴をパターンに分け、パターンごとにプレゼンス導出ルールを設けることを特徴とする。
【００１９】
請求項８記載の発明は、請求項１から７のいずれか１項に記載のプレゼンスシステムにおいて、導出装置がプレゼンスパターンに応じて、複数のプレゼンス導出ルールからプレゼンス導出ルールを選択することを特徴とする。
【００２０】
請求項９記載の発明は、請求項１から８のいずれか１項に記載のプレゼンスシステムにおいて、導出装置がプレゼンス履歴パターンに応じて、複数のプレゼンス導出ルールからプレゼンス導出ルールを選択することを特徴とする。
【００２１】
請求項１０記載の発明は、請求項１から９のいずれか１項に記載のプレゼンスシステムにおいて、導出装置がプレゼンス導出に複数のプレゼンス導出ルールを使用することを特徴とする。
【００２２】
請求項１１記載の発明は、請求項１から１０のいずれか１項に記載のプレゼンスシステムにおいて、導出装置が一つのプレゼンスに対してプレゼンス導出ルールを複数選択することを特徴とする。
【００２３】
請求項１２記載の発明は、請求項１から１１のいずれか１項に記載のプレゼンスシステムにおいて、導出装置が一つのプレゼンスパターンに対してプレゼンス導出ルールを複数選択することを特徴とする。
【００２４】
請求項１３記載の発明は、請求項１または１２記載のプレゼンスシステムにおいて、導出装置が一つのプレゼンス履歴に対してプレゼンス導出ルールを複数選択することを特徴とする。
【００２５】
請求項１４記載の発明は、請求項１から１３のいずれか１項に記載のプレゼンスシステムにおいて、導出装置が一つのプレゼンスパターンに対してプレゼンス導出ルールを複数選択することを特徴とする。
【００２６】
請求項１５記載の発明は、請求項１から１４のいずれか１項に記載のプレゼンスシステムにおいて、導出装置が複数のプレゼンス導出ルール間で矛盾が起きた場合、プレゼンス導出ルールの優先度によって矛盾を解消することを特徴とする。
【００２７】
請求項１６記載の発明は、請求項１から１５のいずれか１項に記載のプレゼンスシステムにおいて、プレゼンス導出ルールの使用に対して課金を行なうことを特徴とする。
【００２８】
請求項１７記載の発明は、ネットワークを介して接続されている複数のユーザエージェントにより共通のプレゼンス導出ルールが使用されることを特徴とする導出装置である。
【００２９】
請求項１８記載の発明は、ネットワークを介して接続されている複数のサーバにより共通のプレゼンス導出ルールが使用されることを特徴とする導出装置である。
【００３０】
請求項１９記載の発明は、請求項１７または１８記載の導出装置において、複数のプレゼンス導出ルールを保持することを特徴とする。
【００３１】
請求項２０記載の発明は、請求項１７から１９のいずれか１項に記載の導出装置において、プレゼンスに応じて、複数のプレゼンス導出ルールからプレゼンス導出ルールを選択することを特徴とする。
【００３２】
請求項２１記載の発明は、請求項１７から２０のいずれか１項に記載の導出装置において、プレゼンスの履歴に応じて、複数のプレゼンス導出ルールからプレゼンス導出ルールを選択することを特徴とする。
【００３３】
請求項２２記載の発明は、請求項１７から２１のいずれか１項に記載の導出装置において、プレゼンスをパターンに分け、パターンごとにプレゼンス導出ルールを設けることを特徴とする。
【００３４】
請求項２３記載の発明は、請求項１７から２２のいずれか１項に記載の導出装置において、プレゼンスの履歴をパターンに分け、パターンごとにプレゼンス導出ルールを設けることを特徴とする。
【００３５】
請求項２４記載の発明は、請求項１７から２３のいずれか１項に記載の導出装置において、プレゼンスパターンに応じて、複数のプレゼンス導出ルールからプレゼンス導出ルールを選択することを特徴とする。
【００３６】
請求項２５記載の発明は、請求項１７から２４のいずれか１項に記載の導出装置において、プレゼンス履歴パターンに応じて、複数のプレゼンス導出ルールからプレゼンス導出ルールを選択することを特徴とする。
【００３７】
請求項２６記載の発明は、請求項１７から２５のいずれか１項に記載の導出装置において、プレゼンス導出に複数のプレゼンス導出ルールを使用することを特徴とする。
【００３８】
請求項２７記載の発明は、請求項１７から２６のいずれか１項に記載の導出装置において、一つのプレゼンスに対してプレゼンス導出ルールを複数選択することを特徴とする。
【００３９】
請求項２８記載の発明は、請求項１７から２７のいずれか１項に記載の導出装置において、一つのプレゼンスパターンに対してプレゼンス導出ルールを複数選択することを特徴とする。
【００４０】
請求項２９記載の発明は、請求項１７から２８のいずれか１項に記載の導出装置において、一つのプレゼンス履歴に対してプレゼンス導出ルールを複数選択することを特徴とする。
【００４１】
請求項３０記載の発明は、請求項１７から２９のいずれか１項に記載の導出装置において、一つのプレゼンスパターンに対してプレゼンス導出ルールを複数選択する。
【００４２】
請求項３１記載の発明は、請求項１７から３０のいずれか１項に記載の導出装置において、複数のプレゼンス導出ルール間で矛盾が起きた場合、プレゼンス導出ルールの優先度によって矛盾を解消することを特徴とする。
【００４３】
請求項３２記載の発明は、請求項１７から３１のいずれか１項に記載の導出装置において、プレゼンス導出ルールの使用に対して課金を行なうことを特徴とする。
【００４４】
請求項３３記載の発明は、請求項１７から３３のいずれか１項に記載の導出装置が備える共通のプレゼンス導出ルールを使用することを特徴とするユーザエージェントである。
【００４５】
請求項３４記載の発明は、請求項１７から３３のいずれか１項に記載の導出装置が備える共通のプレゼンス導出ルールを使用することを特徴とするサーバである。
【００４６】
請求項３５記載の発明は、ネットワークを介して接続されている導出装置と、ユーザエージェントと、を利用した取得方法であって、複数のユーザエージェントが導出装置が備える共通のプレゼンス導出ルールを使用してプレゼンスを取得することを特徴とする取得方法である。
【００４７】
請求項３６記載の発明は、ネットワークを介して接続されている導出装置と、サーバと、を利用した取得方法であって、複数のサーバが導出装置が備える共通のプレゼンス導出ルールを使用してプレゼンスを取得することを特徴とする取得方法である。
【００４８】
請求項３７記載の発明は、請求項３５または３６記載の取得方法において、導出装置が複数のプレゼンス導出ルールを保持することを特徴とする。
【００４９】
請求項３８記載の発明は、請求項３５から３７のいずれか１項に記載の取得方法において、導出装置がプレゼンスに応じて、複数のプレゼンス導出ルールからプレゼンス導出ルールを選択することを特徴とする。
【００５０】
請求項３９記載の発明は、請求項３５から３８のいずれか１項に記載の取得方法において、導出装置がプレゼンスの履歴に応じて、複数のプレゼンス導出ルールからプレゼンス導出ルールを選択することを特徴とする。
【００５１】
請求項４０記載の発明は、請求項３５から３９のいずれか１項に記載の取得方法において、導出装置がプレゼンスをパターンに分け、パターンごとにプレゼンス導出ルールを設けることを特徴とする。
【００５２】
請求項４１記載の発明は、請求項３５から４０のいずれか１項に記載の取得方法において、導出装置がプレゼンスの履歴をパターンに分け、パターンごとにプレゼンス導出ルールを設けることを特徴とする。
【００５３】
請求項４２記載の発明は、請求項３５から４１のいずれか１項に記載の取得方法において、導出装置がプレゼンスパターンに応じて、複数のプレゼンス導出ルールからプレゼンス導出ルールを選択することを特徴とする。
【００５４】
請求項４３記載の発明は、請求項３５から４２のいずれか１項に記載の取得方法において、導出装置がプレゼンス履歴パターンに応じて、複数のプレゼンス導出ルールからプレゼンス導出ルールを選択することを特徴とする。
【００５５】
請求項４４記載の発明は、請求項３５から４３のいずれか１項に記載の取得方法において、導出装置がプレゼンス導出に複数のプレゼンス導出ルールを使用することを特徴とする。
【００５６】
請求項４５記載の発明は、請求項３５から４４のいずれか１項に記載の取得方法において、導出装置が一つのプレゼンスに対してプレゼンス導出ルールを複数選択することを特徴とする。
【００５７】
請求項４６記載の発明は、請求項３５から４５のいずれか１項に記載の取得方法において、導出装置が一つのプレゼンスパターンに対してプレゼンス導出ルールを複数選択することを特徴とする。
【００５８】
請求項４７記載の発明は、請求項３５から４６のいずれか１項に記載の取得方法において、導出装置が一つのプレゼンス履歴に対してプレゼンス導出ルールを複数選択することを特徴とする。
【００５９】
請求項４８記載の発明は、請求項３５から４７のいずれか１項に記載の取得方法において、導出装置が一つのプレゼンスパターンに対してプレゼンス導出ルールを複数選択することを特徴とする。
【００６０】
請求項４９記載の発明は、請求項３５から４８のいずれか１項に記載の取得方法において、導出装置が複数のプレゼンス導出ルール間で矛盾が起きた場合、プレゼンス導出ルールの優先度によって矛盾を解消することを特徴とする。
【００６１】
請求項５０記載の発明は、請求項３５から４９のいずれか１項に記載の取得方法において、プレゼンス導出ルールの使用に対して課金を行なうことを特徴とする。
【００６２】
請求項５１記載の発明は、導出装置、ユーザエージェントおよびサーバのいずれかに請求項３５から５０に記載の処理を実行させることを特徴とするプログラムである。
【発明の効果】
【００６３】
本発明のプレゼンスシステム、導出装置、ユーザエージェント、サーバ、取得方法およびプログラムによれば、ユーザエージェントのプレゼンス導出ルールの開発、変更および保守等の際に発生するコストを削減することができる。
【発明を実施するための最良の形態】
【００６４】
次に、本発明の第１の実施の形態について図を参照して詳細に説明する。
【００６５】
図１を参照すると、本実施の形態におけるプレゼンスシステムは、プレゼンス導出部１１と、プレゼンス導出ルールデータベース１２と、従来のプレゼンスサービスとしてのユーザエージェント１３（プレゼンティティ１４Ａおよびウォッチャ１５から構成される）と、プレゼンティティ１４ａ、１４ｂと、から構成されている。また、プレゼンス導出部１１とユーザエージェント１３、また、プレゼンス導出部１１とプレゼンス導出ルールデータベース１２とプレゼンティティとウォッチャ１５はネットワークを介して相互に接続されている。ネットワークは、任意のネットワークであってよく、例えば、光ファイバ、インターネット、公衆回線、ＬＡＮ（Local Area Network）、ＡＤＳＬ（Asymmetric Digital Subscriber Line）等であってもよい。なお、通信方法は、有線であっても、無線であってもよい。
【００６６】
プレゼンス導出部１１は、ウォッチャ１５からプレゼンス導出依頼を受ける機能を有している。また、導出判定要素として導出依頼から得たプレゼンスを保持する機能を有している。また、プレゼンス導出ルールデータベース１２から導出ルールを選択する機能を有している。また、複数のプレゼンスと導出ルールからプレゼンスを導出する機能を有している。また、プレゼンティティのプレゼンスを更新する機能を有している。
【００６７】
プレゼンス導出ルールデータベース１２は、プレゼンス導出ルールを少なくとも１つ以上持つ。ここで、プレゼンス導出ルールとは、プレゼンスから新たなプレゼンスを推測するルールのことをいう。
【００６８】
プレゼンティティ１４Ａ、１４ａおよび１４ｂは、自身のプレゼンスが更新されると、自身に対してプレゼンス更新通知依頼を予め出しているウォッチャ１５に対してプレゼンス更新通知を行なう機能を有している。
【００６９】
ウォッチャ１５は、監視しているプレゼンティティのプレゼンスを保持する機能を有している。また、プレゼンス推測対象であるプレゼンティティのプレゼンス更新通知を受け取ると、プレゼンス導出部１１へプレゼンス導出依頼を行なう機能を有している。
【００７０】
なお、各モジュールは、図２や図３に示すように配置されてもよい。すなわち、図２を参照すると、プレゼンス導出部１１およびプレゼンス導出ルールデータベース１２は、プレゼンス導出サーバに実装され、ユーザエージェント１３（プレゼンティティ１４Ａおよびウォッチャ１５から構成される）、プレゼンティティ１４ａおよび１４ｂは、プレゼンスサーバに実装されている。また、図３を参照すると、上記の図２における、プレゼンスサーバが複数存在するように構成されている。
【００７１】
次に、図４を参照して、本実施の形態におけるプレゼンス取得処理の動作のフローを説明する。
【００７２】
プレゼンティティ１４ＡのプレゼンスをＰ１プレゼンス、同様にプレゼンティティ１４ａのプレゼンスをAssocＰ１プレゼンス、プレゼンティティ１４ｂのプレゼンスをAssocＰ２プレゼンスとする。
【００７３】
また、ウォッチャ１５は、プレゼンティティ１４Ａと、プレゼンティティ１４ａと、プレゼンティティ１４ｂ予めプレゼンス更新通知要求を出しており、常に通知要求先プレゼンティティの最新のプレゼンスを保持しているものとする。
【００７４】
まず、プレゼンティティ１４Ａは、プレゼンス更新を行ない、ウォッチャ１５に対してプレゼンス更新通知を行なう（Ｓ４０１）。
【００７５】
ウォッチャ１５は、プレゼンス導出部に対してプレゼンス更新依頼を行なう（Ｓ４０２）。依頼にはＰ１プレゼンス、AssocＰ１プレゼンスおよびAssocＰ２プレゼンスが含まれている。
【００７６】
プレゼンス導出部１１は、プレゼンス導出ルールデータベース１２に対して、Ｐ１プレゼンスをキーにプレゼンス導出ルールを問い合わせる（Ｓ４０３）。
【００７７】
ここで、プレゼンス導出ルールは、Ｐ１プレゼンスと一致するプレゼンスをプレゼンス導出ルールデータベース１２が備える、例えば、図５に示すようなテーブルを検索する（Ｓ４０４）。Ｐ１プレゼンスがＡＰにヒットした場合、プレゼンス導出部１１の問い合わせに対して１Ｒというプレゼンス導出ルールを返すこととなる。
【００７８】
プレゼンス導出部１１は、プレゼンス導出ルールデータベース１２から帰ってきたプレゼンス導出ルールと、AssocＰ１プレゼンスおよびAssocＰ２プレゼンスとからプレゼンス導出を行なう（Ｓ４０５）。
【００７９】
プレゼンス導出部１１は、プレゼンティティ１４Ａのプレゼンスに導出されたプレゼンスを付加する（Ｓ４０６）。
【００８０】
例えば、プレゼンス導出を行なう前のＰ１プレゼンスが、図６に示すようなプレゼンスであった場合、プレゼンスの付加によって図７に示すようなプレゼンスになる。
【００８１】
上記の実施の形態によれば、プレゼンス導出ルールを複数のユーザエージェント間で再利用することによってユーザエージェント開発者はプレゼンス導出ルールを開発するコストを削減することができる。その理由としては、ユーザエージェントとプレゼンス導出ルールを分離し、複数のユーザからプレゼンス導出ルールを再利用するからである。
【００８２】
また、プレゼンス導出ルールを変更する場合、プレゼンス導出データベースを変更するだけですべてのユーザエージェントにルール変更を反映させることができるので、分散していたユーザエージェントのプレゼンス導出ルールを個別に変更するコストを削減することができる。その理由としては、ユーザエージェントとプレゼンス導出ルールを分離し、複数のユーザからプレゼンス導出ルールを再利用するからである。
【００８３】
また、ユーザのすべてのプレゼンスに対してプレゼンス導出ルールを定義しなくても、ユーザのプレゼンス導出を行なうことができる。その理由としては、複数のプレゼンス導出ルールからプレゼンスを元にプレゼンス導出ルールを選択でき、該当するプレゼンス導出ルールがない場合に適用するデフォルト導出ルールを定義できるからである。
【００８４】
また、ユーザの持ち得る複数のプレゼンスごとにプレゼンス導出ルールを適用させることができる。その理由は、プレゼンス導出データベースはユーザのプレゼンスを用いたプレゼンスおよびプレゼンス履歴パターンとプレゼンス導出ルールのペアを複数保持し、プレゼンス導出データベースが、ユーザのプレゼンスから適用すべきプレゼンス導出ルールを選択し、プレゼンス導出部が、選択したルールを用いてユーザのプレゼンスを導出するためである。
【００８５】
次に、本発明の第２の実施の形態について図を参照して詳細に説明する。
【００８６】
プレゼンス導出データベース１２は、図６のようにプレゼンスパターンにつきプレゼンス導出ルールを持っていてもよい。
【００８７】
以下、上記の第１の実施の形態におけるステップＳ４０１〜Ｓ４０３以降の動作のフローを説明する。
【００８８】
プレゼンス導出ルールは、Ｐ１プレゼンスを自身の持つプレゼンス導出データベース１２のプレゼンスパターンとパターンマッチングを行なう。例えば、図８に示すようなテーブルに格納された情報に基づいてマッチングを行なうことであってもよい。
【００８９】
パターンマッチの例としては、図９に示すものをＰ１プレゼンスとし、ルールとしてＡＰＰプレゼンスパターンが「渋谷区にいる」、ＢＰＰプレゼンスパターンが「台東区にいる」とする場合、Ｐ１プレゼンスは、ＡＰＰプレゼンスパターンにヒットする。
【００９０】
Ｐ１プレゼンスがＡＰＰプレゼンスパターンにヒットした場合、プレゼンス導出部１１の問合せに対して３Ｒというプレゼンス導出ルールを返す。
【００９１】
以降、上記の第１の実施の形態におけるステップＳ４０５以降の手順を踏む。
【００９２】
次に、本発明の第３の実施の形態について図を参照して詳細に説明する。
【００９３】
ウォッチャ１５は、プレゼンスの履歴を保持しているものとする。
【００９４】
以下、上記の第１の実施の形態におけるステップＳ４０１以降の動作のフローを説明する。
【００９５】
ウォッチャ１５は、プレゼンス導出部１１に対してプレゼンス更新依頼を行なう。依頼にはＰ１プレゼンスの履歴、AssocＰ１プレゼンスおよびAssocＰ２プレゼンスが含まれている。なお、ウォッチャ１５は、プレゼンス導出部１１に対してプレゼンス更新依頼を行ない、その依頼にはＰ１プレゼンスの履歴、AssocＰ１プレゼンスおよびAssocＰ２プレゼンスの履歴が含まれていてもよい。
【００９６】
プレゼンス導出部１１は、プレゼンス導出データベース１２に対して、Ｐ１プレゼンスの履歴をキーにプレゼンス導出ルールを問い合わせる。
【００９７】
プレゼンス導出ルールは、Ｐ１プレゼンス履歴と一致するプレゼンス履歴をプレゼンス導出データベース１２が備える、例えば、図１０に示すようなテーブルから検索する。Ｐ１プレゼンスがＡＰＨにヒットした場合、プレゼンス導出部１１の問い合わせに対して５Ｒというプレゼンス導出ルールを返す。
【００９８】
プレゼンス導出ルールは、５Ｒというプレゼンス導出ルールと、AssocＰ１プレゼンスおよびAssocＰ２プレゼンスとからプレゼンス導出を行なう。なお、プレゼンス導出ルール１１は、５Ｒというプレゼンス導出ルールと、AssocＰ１プレゼンスおよびAssocＰ２プレゼンスの履歴とからプレゼンス導出を行なうことであってもよい。
【００９９】
次に、本発明の第４の実施の形態について図を参照して詳細に説明する。
【０１００】
プレゼンス導出データベース１２は、プレゼンス履歴パターンにつきプレゼンス導出ルールを持っているものとする。
【０１０１】
以下、上記の第３の実施の形態におけるステップＳ４０３以降の動作のフローを説明する。
【０１０２】
プレゼンス導出ルールは、Ｐ１プレゼンス履歴と一致するプレゼンス履歴パターンをプレゼンス導出データベース１２が備える、例えば、図１１に示すようなテーブルから検索する。Ｐ１プレゼンスがＡＰＨＰにヒットした場合、プレゼンス導出部１１の問合せに対して７Ｒというプレゼンス導出ルールを返す。
【０１０３】
以降、上記の第３の実施の形態におけるステップＳ４０５以降の手順を踏む。
【０１０４】
次に、本発明の第５の実施の形態について図を参照して詳細に説明する。
【０１０５】
プレゼンスや、プレゼンスパターン、プレゼンス履歴、プレゼンス履歴パターンに対してプレゼンス導出ルールが複数設けられてもよい。さらに、プレゼンス導出部は複数のプレゼンス導出ルールの論理輪もしくは論理積でプレゼンス導出を行なってもよい。
【０１０６】
また、プレゼンス導出ルールに優先度が設けられている場合、その優先度にしたがってプレゼンス導出が行なわれてもよい。例えば、図１２に示すようなデータが格納されたテーブルをプレゼンス導出データベース１２が持っている場合、プレゼンスＡＰにあてはまるプレゼンスの導出には優先度の一番高い１Ｒというプレゼンス導出ルールが適用される。
【０１０７】
次に、本発明の第６の実施の形態について図を参照して詳細に説明する。
【０１０８】
図１３に示すように、プレゼンス導出部１１は、複数のユーザエージェントとネットワーク通信ができてもよい。さらに、プレゼンス導出部１１は、複数のユーザエージェントからのプレゼンス導出依頼を受け付けることができてもよい。さらに、プレゼンス導出部１１は、プレゼンス導出ルールを複数のプレゼンス導出に使用してもよい。例えば、Ｐ１のプレゼンス導出に使用していたプレゼンス導出ルールをＲ１とすると、プレゼンス導出ルールＲ１をＰ２のプレゼンス導出に使用してもよい。
【０１０９】
次に、本発明の第７の実施の形態について図を参照して詳細に説明する。
【０１１０】
図１４に示す、プレゼンス導出ルール使用権限管理部は、プレゼンス導出ルールを使用する権限を管理する機能を有している。プレゼンス導出データベース１２がプレゼンス導出ルール使用権限管理部とネットワーク通信可能である場合、プレゼンス導出ルール使用権限管理部は、プレゼンス導出要求元によってプレゼンス導出ルール適応の是非を決定することができてもよい。また、図１５に示すようなデータをプレゼンス導出ルール使用権限管理部が持っている場合、１Ｒは、ＵＡ１、ＵＡ２のプレゼンティティ１４ａ、プレゼンティティ１４ｂのプレゼンス導出に使用されてもよい。
【０１１１】
なお、上述する各実施の形態は、本発明の好適な実施の形態であり、本発明の要旨を逸脱しない範囲内において種々変更実施が可能である。例えば、プレゼンス導出ルール使用に課金を行なったり、また、上記の実施の形態におけるプレゼンス導出部１１、ユーザエージェント１３、プレゼンティティ１４ａおよびプレゼンティティ１４ｂの機能を実現するためのプログラムを各装置等に読込ませて実行することにより本システムの機能を実現する処理を行なってもよい。さらに、そのプログラムは、コンピュータ読み取り可能な記録媒体であるＣＤ−ＲＯＭまたは光磁気ディスク等を介して、または伝送媒体であるインターネット、電話回線等を介して伝送波により他のコンピュータシステムに伝送されてもよい。
【０１１２】
上述する各実施の形態は、プレゼンス導出部１１、ユーザエージェント１３およびプレゼンティティ１４ａ等が別個に接続されているシステム構成について説明したが、各機能が１つのコンピュータシステムとして実現されている構成や機能毎に複数のサーバ装置等が追加された構成にも適用可能であることはもちろんである。
【図面の簡単な説明】
【０１１３】
【図１】本発明の第１の実施形態におけるプレゼンスシステムの概略構成図である。
【図２】本発明の第１の実施形態におけるプレゼンスシステムの実装の一例を示す図である。
【図３】本発明の第１の実施形態におけるプレゼンスシステムの実装の一例を示す図である。
【図４】本発明の第１の実施形態における処理動作を示す図である。
【図５】プレゼンス導出ルールが格納されるテーブルの一例を示す図である。
【図６】プレゼンスを規定するプログラムの一例を示す図である。
【図７】プレゼンスを規定するプログラムの一例を示す図である。
【図８】プレゼンス導出ルールが格納されるテーブルの一例を示す図である。
【図９】プレゼンスを規定するプログラムの一例を示す図である。
【図１０】プレゼンス導出ルールが格納されるテーブルの一例を示す図である。
【図１１】プレゼンス導出ルールが格納されるテーブルの一例を示す図である。
【図１２】プレゼンス導出ルールが格納されるテーブルの一例を示す図である。
【図１３】本発明の第６の実施の形態におけるプレゼンスシステムの概略構成図である。
【図１４】本発明の第７の実施の形態におけるプレゼンスシステムの概略構成図である。
【図１５】プレゼンス導出ルールが格納されるテーブルの一例を示す図である。
【符号の説明】
【０１１４】
１１    プレゼンス導出部
１２    プレゼンス導出データベース
１３    ユーザエージェント
１４Ａ、１４ａ、１４ｂ    プレゼンティティ
１５    ウォッチャ
【図１】
2006330916.tif 000003
【図２】
2006330916.tif 000004
【図３】
2006330916.tif 000005
【図４】
2006330916.tif 000006
【図５】
2006330916.tif 000007
【図６】
2006330916.tif 000008
【図７】
2006330916.tif 000009
【図８】
2006330916.tif 000010
【図９】
2006330916.tif 000011
【図１０】
2006330916.tif 000012
【図１１】
2006330916.tif 000013
【図１２】
2006330916.tif 000014
【図１３】
2006330916.tif 000015
【図１４】
2006330916.tif 000016
【図１５】
2006330916.tif 000017